(57)【要約】【課題】整定電流を調整する調整ダイヤルについて、振動や作業者からの誤操作を防止できるサーマルリレーを提供する。【解決手段】外郭ケース１と、整定電流の調整をする調整ダイヤル３と、前記調整ダイヤル３を覆う誤操作防止用のカバー２を備えたサーマルリレーにおいて、前記調整ダイヤル３の誤操作防止用のカバー２と調整ダイヤル３に傾斜面３ｆを設け、前記調整ダイヤル３誤操作防止用のカバー２の傾斜面２ｂと調整ダイヤル３の傾斜面３ｆが嵌合する構造とした。【選択図】図１
2010009906.tif 000002
【特許請求の範囲】
【請求項１】
外郭ケースと、整定電流の調整をする調整ダイヤルと、前記調整ダイヤルを覆うように外郭ケースに取り付けられる誤操作防止用のカバーを備えたサーマルリレーにおいて、
前記調整ダイヤルの誤操作防止用のカバーの背面部周面と調整ダイヤル上面の周面に傾斜面（面取り部）を設け、前記調整ダイヤルの誤操作防止用のカバーの背面部周面に設けた傾斜面（面取り部）と前記調整ダイヤル上面の周面に設けた傾斜面とを嵌合したことを特徴とするサーマルリレー。
【請求項２】
請求項２に記載のサーマルリレーにおいて、前記調整ダイヤルの誤操作防止用のカバー背面部周面に設けた傾斜面（面取り部）と前記調整ダイヤル上面の周面に設けた傾斜面（面取り部）の少なくとも一方を粗面としたことを特徴とするサーマルリレー。
【請求項３】
外郭ケースと、整定電流の調整をする調整ダイヤルと、前記調整ダイヤルを覆うように外郭ケースに取り付けられる誤操作防止用のカバーを備えたサーマルリレーにおいて、
前記調整ダイヤルの誤操作防止用のカバー背面部に緩衝材を設け、前記カバーを閉じた際に前記調整ダイヤルを緩衝材で押圧して固定することを特徴とするサーマルリレー。
【請求項４】
外郭ケースと、整定電流の調整をする調整ダイヤルと、前記調整ダイヤルを覆うように外郭ケースに取り付けられる誤操作防止用のカバーを備えたサーマルリレーにおいて、
前記調整ダイヤルの誤操作防止用のカバー表面に、前記調整ダイヤルの整定電流調整用の調整溝を覆うアーム部を設けたことを特徴とするサーマルリレー。
【請求項５】
請求項５に記載のサーマルリレーにおいて、前記調整ダイヤルの誤操作防止用のカバー表面に設けたアーム部は、アーム部の撓みを利用して前記調整ダイヤルへ接触させ、前記調整ダイヤルを押圧して固定することを特徴とするサーマルリレー。
【請求項６】
請求項５に記載のサーマルリレーにおいて、前記調整ダイヤルの誤操作防止用のカバー表面に設けたアーム部周辺は、整定電流を調整するための前記調整ダイヤル上面の印字面が視認可能な孔を設けたことを特徴とするサーマルリレー。
【請求項７】
請求項５に記載のサーマルリレーにおいて、前記調整ダイヤルの誤操作防止用のカバー表面に設けたアーム部の裏面を粗面にしたことを特徴とするサーマルリレー。
【請求項８】
外郭ケースと、整定電流の調整をする調整ダイヤルと、前記調整ダイヤルを覆うように外郭ケースに取り付けられる誤操作防止用のカバーを備えたサーマルリレーにおいて、
前記調整ダイヤルの誤操作防止用のカバー背面部の周面と、調整ダイヤル上面の周面を圧入して固定したことを特徴とするサーマルリレー。
【発明の詳細な説明】
【技術分野】
【０００１】
本発明は、電磁接触器などに組み合わせて使用するサーマルリレー（熱動形過負荷継電器）に関し、詳しくはその調整ダイヤルの誤操作防止構造に係わる。
【背景技術】
【０００２】
まず、頭記したサーマルリレーの従来構造を図１４で説明する。図１４において、１０１は樹脂モールド製の外郭ケース、１０２は主回路に接続したヒータの発熱を受けて湾曲する主バイメタル、１０３は主バイメタル１０２の自由端に連係させたシフター、１０４はシフター１０３の変位に従動する釈放レバー、１０５は接点開閉用の反転動作機構、１０６は可動接点１０６ａ及び固定接点１０６ｂからなる常閉接点、１０７は可動接触子片に設けられた固定接点１０７ａ及び可動接点１０７ｂからなる常開接点、１０８は下端が外郭ケース１０１に設けたケース溝１０１ａに支持されるとともに、釈放レバー１０４の基端に支点１０４ａで連結された調整リンク、１０９は動作電流を調整する調整ダイヤルである。ここで前記反転動作機構１０５は、一端を略コ字状の支持片１１０のＶ溝１１０ａに係止支持した揺動式可動板１１１と、該可動板１１１の先端部１１１ａと支持片１１０のばね掛け部１１０ｂとの間に張架した引張りばね１１２と、可動板１１１から背後に向けてＬ字形に突き出した絶縁物製の常開接点用駆動レバー１１３からなり、可動板１１１の先端部には常閉接点１０６の可動接点１０６ａが取り付けてある。また、常閉接点１０６の固定接点１０６ｂは外郭ケース１０１の底部に一端を固定して水平方向に敷設した板ばね構造の接点支持片１１４に取り付けられている。
前記引張りばね１１２は、ばね鋼材の線条にコイル状ばね部１１２ａと引張りばね１１２の中央部に突出した突起部１１２ｂを形成するとともに両端にフック部を形成したものである。かかる構成で、図１４に示す定常状態では、反転動作機構１０５の可動板１１１が引張りばね１１２のばね力を受けて中立位置から時計方向に傾動していて、常閉接点１０６の可動接点１０６ａを固定接点１０６ｂに押し付けて接点をＯＮ状態に保持している。なお、この状態では常開接点１０７はＯＦＦである。
【０００３】
ここで、主回路に過負荷電流が流れると主バイメタル１０２が加熱湾曲し、その自由端の変位によりシフター１０３が右方向に移動する。これにより、釈放レバー１０４が支点１０４ａを中心にして揺動する。このとき、反転動作機構５の引張りばね１１２の突起部１１２ｂを上方に突き上げるとともに、引張りばね１１２の変位が可動板１１１の死点を超えると可動板１１１が急速に反転駆動して、常閉接点１０６の可動接点１０６ａが固定接点１０６ｂから開離するとともに駆動レバー１１３により可動接点１０７ｂが取り付けられた可動接触子片が押圧されて可動接点１０７ｂが固定接点１０７ａに接触して接点をＯＮに切換える。（例えば、特許文献１参照）
次に、従来のサーマルリレーの調整ダイヤルの誤操作防止方法として、特許文献２に示す構造が開示されている。従来の方法について、図１５に基づいて説明する。図１５において、調整ダイヤル１０９の誤操作を防止するために、調整ダイヤル１０９は外郭ケース１０１の上面より奥の位置に収納されている。外郭ケース１０１上面は、図１５に示すようにサーマルリレーの形式や端子記号が刻印または印刷された厚みのやや厚い表示カバー１１７により覆われ、この表示カバー１１７と外郭ケース１０１とに調整ダイヤル１０９を外郭ケース１０１に挿入するための調整ダイヤル挿入孔１０１ｂが形成されている。ダイヤルカバー１１６は、係合溝１１６ａが周面に形成された分厚い円板状に形成され、上面にＬ形の把手１１８が形成され、把手１１８の先端部にはワイヤ等の金属線材を通すための貫通孔１１９が形成されている。外郭ケース１０１の調整ダイヤル挿入孔１０１ｂに挿入された調整ダイヤル１０９をダイヤルカバー１１６で覆うときは、ダイヤルカバー１１６を表示カバー１１７の調整ダイヤル挿入孔１０１ｂに挿入し、この孔１０１ｂの内側へ突き出た係合突起１１７ａに乗せた後、ダイヤルカバー１１６に力を加えて係合突起１１７ａを変形させながら調整ダイヤル１０９側へ押し込み、係合突起１１７ａと係合溝１１６ａとを係合させるものが知られている。
【特許文献１】特開２００１−１６０３４６号公報
【特許文献２】特開平７−２５４３４２号公報
【発明の開示】
【発明が解決しようとする課題】
【０００４】
ところで、前記特許文献２に示した従来のサーマルリレーの調整ダイヤルの誤操作防止用構造では、調整ダイヤル自体を保持するものでは無いため、例えばサーマルリレーの使用環境において振動が加わった場合には、調整ダイヤルに振動が伝達し、調整ダイヤルの整定値が変化してしまうため、現地作業での作業員による誤操作が発生してしまう問題があった。
本発明は上記の点に鑑みなされたものであり、振動が加わっても、調整ダイヤルの整定値が変化することなく調整ダイヤルが保持され、誤操作を防止することができるサーマルリレーを提供することを目的とする。
【課題を解決するための手段】
【０００５】
上記目的を達成するために、本発明によれば、外郭ケースと、整定電流の調整をする調整ダイヤルと、前記調整ダイヤルを覆うように外郭ケースに取り付けられる誤操作防止用のカバーを備えたサーマルリレーにおいて、前記調整ダイヤルの誤操作防止用のカバーの背面部周面と、前記調整ダイヤル上面の周面に傾斜面（面取り部）を設け、前記調整ダイヤルの誤操作防止用のカバーの背面部周面に設けた傾斜面（面取り部）と前記調整ダイヤル上面の周面に設けた傾斜面（面取り部）が嵌合するようにする（請求項１）。
その際、前記調整ダイヤルの誤操作防止用のカバーの背面部周面に設けた傾斜面と前記調整ダイヤル上面の周面に設けた傾斜面の少なくとも一方を粗面とする（請求項２）。
また、前記調整ダイヤルの誤操作防止用のカバー背面部に緩衝材（ゴム材やクッション材等）を設け、前記カバーを閉じた際に前記調整ダイヤルを緩衝材で押圧して固定する（請求項３）。
また、前記調整ダイヤルの誤操作防止用のカバー表面に、前記調整ダイヤルの整定電流調整用の調整溝中心部を覆うアーム部を設けるようにする（請求項４）。
その際、前記調整ダイヤルの誤操作防止用のカバー表面に設けたアーム部は、アーム部の撓みを利用して調整ダイヤル表面へ接触させ、前記調整ダイヤルを押圧して固定する（請求項５）。
更に、前記調整ダイヤルの誤操作防止用のカバー表面に設けたアーム部周辺は、整定電流を調整するための前記調整ダイヤル上面の印字面が視認可能な孔を設けるようにする（請求項６）。そして、前記調整ダイヤルの誤操作防止用のカバー表面に設けたアーム部の裏面を粗面とする（請求項７）。
別の方法として、外郭ケースと、整定電流の調整をする調整ダイヤルと、前記調整ダイヤルを覆うように外郭ケースに取り付けられる誤操作防止用のカバーを備えたサーマルリレーにおいて、前記調整ダイヤルの誤操作防止用にカバー背面部の周面と、調整ダイヤル上面の周面を圧入して固定する（請求項８）。
【発明の効果】
【０００６】
上記の構成によれば、調整ダイヤル誤操作防止用のカバーを設けることによって、調整ダイヤルの整定値が変化することなく調整ダイヤルが安定保持され、誤操作を防止することが可能となる。
【発明を実施するための最良の形態】
【０００７】
以下、本発明を実施する具体的な形態を図１から図１３に示す実施例に基づいて説明する。
図１から図６に本発明の第１の実施例を示すものである。
図１は本発明の調整ダイヤル誤操作防止構造のカバーと外郭ケースを分解した斜視図である。
図２は図１に示した調整ダイヤル誤操作防止構造のカバーと外郭ケースを示す斜視図である。
図３は図１に示した調整ダイヤル誤操作防止構造のカバー裏面を示す斜視図である。
図４は図１に示した調整ダイヤル誤操作防止構造の調整ダイヤルの拡大図である。
図５は図４に示した調整ダイヤルの平面図である。
図６は図１に示したＡ−Ａ部の断面図である。
図１に示した調整ダイヤル誤操作防止用構造は、外郭ケース１と、調整ダイヤルを覆う透明部材からなる誤操作防止用のカバー２と、整定電流を調整する調整ダイヤル３から構成される。尚、外郭ケース１は、図１４に示す外郭ケース１０１の一部を示している。
図１、図２に示したサーマルリレーにおいて、外郭ケース１に形成した端子挿入溝１ａには外郭ケース１の外部に配線を接続するための補助接点端子が設けられており、その端子と配線をドライバーなどの工具を用いて締め付ける。またドライバーなどの工具によって締め付ける際に、カバー２が閉じている状態においてもドライバーなどの工具によって締め付けが可能なように、カバー２に器具挿入孔２ｃを設けている。
誤操作防止用のカバー２は、外郭ケース１から取り外しが可能であり、通常は外郭ケース１に設けた係合溝１ｂと、カバー２に設けた係合突起２ｄとを係合させて取り付けてあり、開閉可能な構造にもなっている。またカバー２の裏面には調整ダイヤル３を嵌合するための調整ダイヤル挿入溝２ｅが形成されている。
図４に示す調整ダイヤル３は、整定電流を調整する電流調整溝３ｄと、この電流調整溝を配置する上面３ｂと、整定電流値の設定値が印字された印字面３ｅと、軸部３ｃとからなり、軸部３ｃの下端にはカム部３ａを有している。
図１から図６に示すように、調整ダイヤル３の上面３ｂの周面と調整ダイヤル誤操作防止用のカバー２の背面部２ａ周面には、前記カバー２を閉じた際に互いが嵌合するように図６の断面図に示すようにカバー２側に傾斜面（面取り部）２ｂを設け、また調整ダイヤル３側にも図４に示すように調整ダイヤル３の上面３ｂを凸状とし、その周面に傾斜面（面取り部）３ｆを設け、この２つの傾斜面２ｂ，３ｆが嵌合させることで、この２つの傾斜面２ｂ，３ｆに摩擦力が働き、調整ダイヤルを固定できる構造となっている。
更に、傾斜面２ｂ，３ｆのいずれか一方を粗面にすることで、より高い摩擦力を発揮することが可能となり、調整ダイヤルに振動が加わっても調整ダイヤル３自体が変動することがなく、安定した固定を可能にする。
図７から図１０は、本発明の第２の実施例を示すものである。
上記第１の実施例では、調整ダイヤル３の上面３ｂを凸状とし、その周面に傾斜面（面取り部）３ｆを設けているが、図９，図１０に示すように、調整ダイヤル３の上面３ｂを凹状として傾斜面３ｆを設け、調整ダイヤル誤操作防止用のカバー２の背面側を凸状として傾斜面（面取り部）２ｂを設けるようにして、この２つの傾斜面２ｂ，３ｆを嵌合するようにしても良い。
図１１は、本発明の第３の実施例を示すものであり、調整ダイヤル誤操作防止用のカバー２の断面を示した図である。上記図１から図１０に示した実施例では、調整ダイヤル３とカバー２に傾斜面２ｂ，３ｆを設け、この２つの傾斜面２ｂ，３ｆを嵌合することで摩擦力が働き、調整ダイヤルを固定するものであるが、図１１に示すように、調整ダイヤル３の構造は、図４，図９に示した形状のどちらとしても構わず、調整ダイヤル誤操作防止用のカバー２の背面部２ａに緩衝材４を設け、調整ダイヤル誤操作防止用のカバー２を閉じた際に、調整ダイヤル３を緩衝材４によって押圧して固定する。その際、調整ダイヤル誤操作防止用のカバー２の背面部２ａ周面に設けた傾斜面２ｂはなくても良い。
これにより調整ダイヤルに振動が加わっても、設定した整定電流値が変動することがなく、かつ現地での作業時でも誤操作が防止できる。
図１２，図１３は、本発明の第４の実施例を示すものである。
【０００８】
図１２，図１３に示すように、調整ダイヤル誤操作防止用のカバー２に、調整ダイヤル３の整定電流値を設定し、設定値が確認できるための印字面３ｅを視認できるように視認用孔２ｇを設け、更に調整ダイヤル３の印字面３ｅに印字された設定値の視認を邪魔することがないように、調整ダイヤル３の電流調整溝３ｄの中心部に接触固定可能なアーム部２ｆを設ける構造となっている。ここで、調整ダイヤル誤操作防止用のカバー２は、第１〜第３の実施例に示すように透明部材でなくても良い。
調整ダイヤル誤操作防止用のカバー２に設けたアーム部２ｆは、調整ダイヤル３の電流調整溝３ｄの中心部に接触固定できるように、調整ダイヤル誤操作防止用にカバー２の背面側へ撓むように構成され、この撓みを利用することで調整ダイヤルを固定する。
更に調整ダイヤルを安定的に固定するために、調整ダイヤル誤操作防止用のカバー２に設けたアーム部２ｆの裏面を粗面にすることで、調整ダイヤル３の中心部への接触するための摩擦力を高め、調整ダイヤル３に継続的に振動が加わっても安定的に固定することが可能となる。
また、調整ダイヤル誤操作防止用のカバー２に設けたアーム部２ｆの裏面を粗面にしたことの他に、アーム部２ｆの裏面に緩衝材を設けて固定するようにしてもよい。
【０００９】
その他の実施例として、調整ダイヤルの誤操作防止用のカバー２側と調整ダイヤル３側に設けた傾斜面２ｂ，３ｆの嵌合による固定ではなく、調整ダイヤルの誤操作防止用のカバー２の背面部２ａの周面と、調整ダイヤルの上面の周面を圧入して固定する方法でも良い。
【図面の簡単な説明】
【００１０】
【図１】本発明の調整ダイヤルの誤操作防止用構造のカバーとケースを示す斜視図
【図２】図１に示した調整ダイヤルの誤操作防止用構造のカバーとケースを示す斜視図
【図３】図１に示した誤操作防止用構造のカバー裏面を示す斜視図
【図４】図１に示した調整ダイヤルの拡大図
【図５】図４に示した調整ダイヤルの平面図
【図６】図１に示したカバーのＡ−Ａ断面図
【図７】本発明の第２の実施の形態を示すカバーとケースを分解した斜視図
【図８】図７に示した調整ダイヤルの誤操作防止用構造のカバー裏面を示す斜視図
【図９】図７に示した調整ダイヤルの拡大図
【図１０】図７に示したカバーのＢ−Ｂ断面図
【図１１】本発明の第３の実施の形態を示すカバーの断面図
【図１２】本発明の第４の実施の形態を示すカバーとケースを分解した斜視図
【図１３】図１２に示したカバーのＣ−Ｃ断面図
【図１４】従来例を示すサーマルリレーの内部構造図
【図１５】従来例を示す誤操作防止用構造の拡大図
【符号の説明】
【００１１】
１    外郭ケース
１ａ  端子挿入溝
１ｂ  係合溝
２    カバー
２ａ  背面部
２ｂ  傾斜面（面取り部）
２ｃ  器具挿入孔
２ｄ  係合突起
２ｅ  調整ダイヤル挿入溝
２ｆ  アーム部
２ｇ  視認用孔
３    調整ダイヤル
３ａ  カム部
３ｂ  上面
３ｃ  軸部
３ｄ  電流調整溝
３ｅ  印字面
３ｆ  傾斜面（面取り部）
４    緩衝材
【図１】
2010009906.tif 000003
【図２】
2010009906.tif 000004
【図３】
2010009906.tif 000005
【図４】
2010009906.tif 000006
【図５】
2010009906.tif 000007
【図６】
2010009906.tif 000008
【図７】
2010009906.tif 000009
【図８】
2010009906.tif 000010
【図９】
2010009906.tif 000011
【図１０】
2010009906.tif 000012
【図１１】
2010009906.tif 000013
【図１２】
2010009906.tif 000014
【図１３】
2010009906.tif 000015
【図１４】
2010009906.tif 000016
【図１５】
2010009906.tif 000017